(57)【特許請求の範囲】
【請求項１】
表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、
前記脳波関連情報表示画面領域での時間経過方向と同じくして、横向きにリアルタイムで脈波波形を表示する第３画面領域と、当該第３画面領域の時間経過側横に、リアルタイムで表示されていた前記脈波波形を逐次、圧縮表示する第４画面領域と、を有する脈波関連情報表示画面領域とを設け、
前記第１画面領域に表示される前記脳波波形と、前記第３画面領域に表示される前記脈波波形と、を同期して表示させ、
前記第２画面領域に表示される前記脳波波形のＤＳＡ表示又は前記脳波波形のＣＳＡ表示と、前記第４画面領域に表示される前記脈波波形の圧縮表示と、を同期して表示させることを特徴とする生体情報表示方法。
【請求項２】
表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、
前記脳波関連情報表示画面領域での時間経過方向と同じくして、横向きにリアルタイムで心電図波形を表示する第５画面領域と、当該第５画面領域の時間経過側横に、リアルタイムで表示されていた前記心電図波形から逐次求められる心電図波形関連情報をトレンド表示する第６画面領域と、を有する心電図関連情報表示画面領域とを設け、
前記第１画面領域に表示される前記脳波波形と、前記第５画面領域に表示される前記心電図波形と、を同期して表示させ、
前記第２画面領域に表示される前記脳波波形のＤＳＡ表示又は前記脳波波形のＣＳＡ表示と、前記第６画面領域に表示される前記心電図波形関連情報のトレンド表示とを同期して表示させることを特徴とする生体情報表示方法。
【請求項３】
請求項１又は請求項２に記載の生体情報表示方法において、
前記第２画面領域内でカーソルをクリックすることにより、クリックされた付近の前記脳波波形のＤＳＡ表示又は前記脳波波形のＣＳＡ表示を、前記第２画面領域が表示されたウィンドウとは別のウィンドウに拡大ＤＳＡ表示及び／又は拡大ＣＳＡ表示として表示させることを特徴とする生体情報表示方法。
【請求項４】
脳波を検出するための脳波電極と、脈波を検出するための脈波センサとを有し、前記脳波電極及び前記脈波センサにより検出された生体信号を脳波関連情報及び脈波関連情報として表示画面に表示させる生体情報表示装置であって、
当該表示画面に生体情報を表示させるための脳波関連情報表示手段と脈波関連情報表示手段とを有し、
前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、
前記脈波関連情報表示手段は、前記脳波関連情報表示手段によって表示された領域の時間経過方向と同じくして、横向きにリアルタイムで脈波波形を表示する第３画面表示手段と、当該第３画面表示手段によって表示された領域の時間経過側横に、リアルタイムで表示されていた前記脈波波形を逐次、圧縮表示する第４画面表示手段と、を有し、
前記第１画面表示手段によって表示される前記脳波波形と、前記第３画面表示手段によって表示される前記脈波波形と、が同期して表示され、
前記第２画面表示手段によって表示される前記脳波波形のＤＳＡ表示又は前記脳波波形のＣＳＡ表示と、前記第４画面表示手段によって表示される前記圧縮表示と、が同期して表示されてなることを特徴とする生体情報表示装置。
【請求項５】
脳波を検出するための脳波電極と、脈波を検出するための脈波センサとを有し、前記脳波電極及び前記脈波センサにより検出された生体信号を脳波関連情報及び心電図関連情報として表示画面に表示させる生体情報表示装置であって、
当該表示画面に生体情報を表示させるための脳波関連情報表示手段と心電図関連情報表示手段とを有し、
前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、
前記心電図関連情報表示手段は、前記脳波関連情報表示手段での時間経過方向と同じくして、横向きにリアルタイムで心電図波形を表示する第５画面表示手段と、当該第５画面表示手段によって表示された領域の時間経過側横に、リアルタイムで表示されていた前記心電図波形から逐次求められる心電図波形関連情報をトレンド表示する第６画面表示手段と、を有し、
前記第１画面表示手段によって表示される前記脳波波形と、前記第５画面表示手段によって表示される前記心電図波形と、が同期して表示され、
前記第２画面表示手段によって表示される前記脳波波形のＤＳＡ表示又は前記脳波波形のＣＳＡ表示と、前記第６画面表示手段によって表示される前記心電図波形関連情報のトレンド表示と、が同期して表示されてなることを特徴とする生体情報表示装置。
【請求項６】
請求項４又は請求項５に記載の生体情報表示装置において、
前記第２画面表示手段によって表示される領域内でカーソルがクリックされることにより、クリックされた付近の前記脳波波形のＤＳＡ表示又は前記脳波波形のＣＳＡ表示を、前記第２画面領域が表示されたウィンドウとは別のウィンドウに拡大ＤＳＡ表示及び／又は拡大ＣＳＡ表示として表示する拡大画面表示手段を有することを特徴とする生体情報表示装置。
【請求項７】
表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、
前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、
前記第１画面領域に表示される前記脳波波形と、前記第７画面領域に表示される前記他の生体情報波形と、を同期して表示させ、
前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする生体情報表示方法。
【請求項８】
表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、
前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、
前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする生体情報表示方法。
【発明の詳細な説明】
【０００１】
【発明の属する技術分野】
本発明は、生体情報表示方法及び生体情報表示装置に関し、特に、医療施設の重症患者室，手術室，病棟等において患者の生体信号をモニタリングする生体情報表示方法及び生体情報表示装置に関する。
【０００２】
【従来の技術】
医療施設において患者の脳波の解析データ（周波数スペクトル）を定期的に測定し、これを並べて表示する脳波計等は、ＣＳＡ（Compressed Spectral Array）表示やＤＳＡ（Density Spectral Array）表示と呼ばれる表示方法によって縦方向に並べて表示している。
【０００３】
上記のＣＳＡ表示やＤＳＡ表示は、例えば、米国特許明細書第４、８００、８９５号に開示されているように、ＣＳＡ表示は、周波数を横軸にし、脳波の強度を縦軸にして表される曲線を、一定の時間間隔毎に、縦方向に並べて表示する表示方法である。また、ＤＳＡ表示は、周波数を横軸にし、脳波の強度によってドット（黒点）の多少によって明暗をつけた棒状の表示を、一定の時間間隔毎に、縦方向に並べて表示する表示方法である。
【０００４】
これに対して、心電図や脈波など他の生体信号を表示するベッドサイドモニタ等は、横軸を時間軸として表示する表示方法が使われている。
【０００５】
上述のように従来は、脳波以外の生体信号は横軸を時間軸として表示される表示方法が使われているのに対し、脳波解析データは縦軸を時間軸として表示される表示方法が使われていた。
【０００６】
【発明が解決しようとする課題】
しかしながら、従来の脳波計等及びベッドサイドモニタ等を用いて患者の生体信号をモニタリングする場合、脳波解析データが、他の生体信号（心電図，脈波等）と異なる時間軸で表示されるため、両者の時間関係を容易に把握することができなかった。
このため、患者の容態に変化があった場合、脳波の変化と他の生体信号の変化の関連性を分析・診断することが難しく、患者の容態変化の原因を特定することが困難であるという問題があった。
【０００７】
本発明は、上記問題点を解決するためになされたものであり、その目的は、脳波解析データと他の生体信号（心電図，脈波等）を一つのモニタ画面上に、同一の時間軸で表示させることにより、生体信号の変化の時間関係を一目で把握でき、患者の容態変化の原因をより的確に診断することに資することができる生体情報表示方法及び生体情報表示装置を提供することである。
【０００８】
【課題を解決するための手段】
本発明に係る生体情報表示方法は、請求項１に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで脈波波形を表示する第３画面領域と、当該第３画面領域の時間経過側横に、リアルタイムで表示されていた前記脈波波形を逐次、圧縮表示する第４画面領域と、を有する脈波関連情報表示画面領域とを設け、前記第１画面領域に表示される前記脳波波形と、前記第３画面領域に表示される前記脈波波形と、を同期して表示させ、前記第２画面領域に表示される前記脳波波形のＤＳＡ表示又は前記脳波波形のＣＳＡ表示と、前記第４画面領域に表示される前記脈波波形の圧縮表示と、を同期して表示させることを特徴とする。
上記生体情報表示方法によって、脳波関連情報と脈波関連情報とを同一の時間軸で表示できるので、生体信号の変化の時間関係を一目で把握でき、患者の容態変化の原因をより的確に診断することに資することができる。
【０００９】
また、本発明に係る生体情報表示方法は、請求項２に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで心電図波形を表示する第５画面領域と、当該第５画面領域の時間経過側横に、リアルタイムで表示されていた前記心電図波形から逐次求められる心電図波形関連情報をトレンド表示する第６画面領域と、を有する心電図関連情報表示画面領域とを設け、前記第１画面領域に表示される前記脳波波形と、前記第５画面領域に表示される前記心電図波形と、を同期して表示させ、前記第２画面領域に表示される前記脳波波形のＤＳＡ表示又は前記脳波波形のＣＳＡ表示と、前記第６画面領域に表示される前記心電図波形関連情報のトレンド表示とを同期して表示させることを特徴とする。
上記生体情報表示方法によって、脳波関連情報と心電図関連情報とを同一の時間軸で表示できるので、生体信号の変化の時間関係を一目で把握でき、患者の容態変化の原因をより的確に診断することに資することができる。
【００１０】
さらに、本発明に係る生体情報表示方法は、請求項３に記載したように、前記第２画面領域内でカーソルをクリックすることにより、クリックされた付近の前記脳波波形のＤＳＡ表示又は前記脳波波形のＣＳＡ表示を、前記第２画面領域が表示されたウィンドウとは別のウィンドウに拡大ＤＳＡ表示及び／又は拡大ＣＳＡ表示として表示させることを特徴とする。
このように、第２画面領域が表示されたウィンドウとは別のウィンドウを開き、そこに拡大ＤＳＡ表示及び／又は拡大ＣＳＡ表示ができるので、より詳細に脳波波形を把握することができる。
【００１１】
本発明に係る生体情報表示装置は、請求項４に記載したように、脳波を検出するための脳波電極と、脈波を検出するための脈波センサとを有し、前記脳波電極及び前記脈波センサにより検出された生体信号を脳波関連情報及び脈波関連情報として表示画面に表示させる生体情報表示装置であって、当該表示画面に生体情報を表示させるための脳波関連情報表示手段と脈波関連情報表示手段とを有し、前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、前記脈波関連情報表示手段は、前記脳波関連情報表示手段によって表示された領域の時間経過方向と同じくして、横向きにリアルタイムで脈波波形を表示する第３画面表示手段と、当該第３画面表示手段によって表示された領域の時間経過側横に、リアルタイムで表示されていた前記脈波波形を逐次、圧縮表示する第４画面表示手段と、を有し、前記第１画面表示手段によって表示される前記脳波波形と、前記第３画面表示手段によって表示される前記脈波波形と、が同期して表示され、前記第２画面表示手段によって表示される前記脳波波形のＤＳＡ表示又は前記脳波波形のＣＳＡ表示と、前記第４画面表示手段によって表示される前記圧縮表示と、が同期して表示されてなることを特徴とする。
上記生体情報表示装置の表示画面に、脳波関連情報と脈波関連情報とが同一の時間軸で表示されるので、生体信号の変化の時間関係を一目で把握でき、患者の容態変化の原因をより的確に診断することに資することができる。
【００１２】
また、本発明に係る生体情報表示装置は、請求項５に記載したように、脳波を検出するための脳波電極と、脈波を検出するための脈波センサとを有し、前記脳波電極及び前記脈波センサにより検出された生体信号を脳波関連情報及び心電図関連情報として表示画面に表示させる生体情報表示装置であって、当該表示画面に生体情報を表示させるための脳波関連情報表示手段と心電図関連情報表示手段とを有し、前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、前記心電図関連情報表示手段は、前記脳波関連情報表示手段での時間経過方向と同じくして、横向きにリアルタイムで心電図波形を表示する第５画面表示手段と、当該第５画面表示手段によって表示された領域の時間経過側横に、リアルタイムで表示されていた前記心電図波形から逐次求められる心電図波形関連情報をトレンド表示する第６画面表示手段と、を有し、前記第１画面表示手段によって表示される前記脳波波形と、前記第５画面表示手段によって表示される前記心電図波形と、が同期して表示され、前記第２画面表示手段によって表示される前記脳波波形のＤＳＡ表示又は前記脳波波形のＣＳＡ表示と、前記第６画面表示手段によって表示される前記心電図波形関連情報のトレンド表示と、が同期して表示されてなることを特徴とする。
上記生体情報表示装置の表示画面に、脳波関連情報と心電図関連情報とが同一の時間軸で表示されるので、生体信号の変化の時間関係を一目で把握でき、患者の容態変化の原因をより的確に診断することに資することができる。
【００１３】
さらに、本発明に係る生体情報表示装置は、請求項６に記載したように、前記第２画面表示手段によって表示される領域内でカーソルがクリックされることにより、クリックされた付近の前記脳波波形のＤＳＡ表示又は前記脳波波形のＣＳＡ表示を、前記第２画面領域が表示されたウィンドウとは別のウィンドウに拡大ＤＳＡ表示及び／又は拡大ＣＳＡ表示として表示する拡大画面表示手段を有することを特徴とする。
上記生体情報表示装置の表示画面に、第２画面領域が表示されたウィンドウとは別のウィンドウを開き、そこに拡大ＤＳＡ表示及び／又は拡大ＣＳＡ表示が表示されるので、より詳細に脳波波形を把握することができる。
【００１４】
また、本発明に係る生体情報表示方法は、請求項７に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、前記第１画面領域に表示される前記脳波波形と、前記第７画面領域に表示される前記他の生体情報波形と、を同期して表示させ、前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする。
また、本発明に係る生体情報表示方法は、請求項８に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする。
上記請求項７又は請求項８に記載した生体情報表示方法によって、脳波関連情報と他の生体情報波形とを同一の時間軸で表示できるので、生体信号の変化の時間関係を一目で把握でき、患者の容態変化の原因をより的確に診断することに資することができる。
【００１５】
【発明の実施の形態】
以下、本発明に係る生体情報表示方法及び生体情報表示装置の実施の形態を、図面を参照しながら詳細に説明する。
【００１６】
図１は、本実施の形態に係る生体情報表示装置の外観を示す図である。
図１に示すように、本実施の形態に係る生体情報表示装置１（例えば、ベッドサイドモニタ）は、ケーブル接続端子２，表示画面３，情報処理手段４を備えている。
【００１７】
脈波や心電図等の生体情報は、患者に取り付けられたセンサ、電極等によって検出される。このように検出された生体情報は、センサ等からの信号ケーブルをケーブル接続端子２に接続することにより、生体情報表示装置１に入力させることができる。アンプは外付けでも内蔵でもよい。また、脳波関連情報も脳波電極、脳波計を用いて、生体情報表示装置１に入力させることができる。
なお、上記の各種生体情報（脈波，心電図，脳波等）の入力は、無線接続にて入力させてもよい。
【００１８】
上述のようにして、入力された各種生体情報（脈波，心電図，脳波等）は、ＣＰＵ等の情報処理手段４により情報処理されたデータが表示画面３に表示される。なお、情報処理手段４は生体情報表示装置１の筐体内に設けずに、別体として設けてもよい。
上記情報処理手段４には、脳波関連情報表示手段，脈波関連情報表示手段，心電図関連情報表示手段，第１画面表示手段，第２画面表示手段，第３画面表示手段，第４画面表示手段，第５画面表示手段，第６画面表示手段，拡大画面表示手段が含まれており、それぞれ各種生体情報を波形表示，波形の圧縮表示，トレンド表示，ＣＳＡ表示，ＤＳＡ表示等で、複数の表示画面領域に区分された表示画面３に表示する。
【００１９】
次に、このような各種画面表示手段による表示方法について詳細に説明する。図２は、本実施の形態に係る生体情報表示装置の表示画面領域の区分を示す図である。
図２に示すように、本実施の形態に係る生体情報表示方法により、表示画面３は、複数の表示画面領域に区分されており、脳波関連情報表示画面領域１１と、脈波関連情報表示画面領域１３や心電図関連情報表示画面領域１４を含む生体情報表示画面領域１２とを有している。
【００２０】
さらに、脳波関連情報表示画面領域１１は、時間経過方向を横向きにして、リアルタイムで脳波波形を表示する第１画面領域１５と、第１画面領域１５の時間経過側の横に、連続して、リアルタイムで第１画面領域１５に表示されていた脳波波形を逐次、ＤＳＡ表示又はＣＳＡ表示する第２画面領域１６とを有している。
【００２１】
また、生体情報表示画面領域１２は、脳波関連情報以外の生体情報を表示する領域であり、さらにこの中に含まれる脈波関連情報表示画面領域１３は、脳波関連情報表示画面領域１１での時間経過に同期して、横向きにリアルタイムで脈波波形を表示する第３画面領域１７と、第３画面領域１７の時間経過側横に、連続して、リアルタイムで第３画面領域１７に表示されていた脈波波形を逐次、圧縮表示する第４画面領域１８とを有している。
【００２２】
また、生体情報表示画面領域１２に含まれる心電図関連情報表示画面領域１４は、脳波関連情報表示画面領域１１での時間経過方向に同期して、横向きにリアルタイムで心電図波形を表示する第５画面領域１９と、第５画面領域１９の時間経過側横に連続して、リアルタイムで第５画面領域１９に表示されていた心電図波形から逐次求められる心拍数（心電図波形関連情報）をトレンド表示する第６画面領域２０とを有している。
【００２３】
なお、生体情報表示画面領域１２には、脈波情報関連情報や心電図情報関連情報以外の生体情報を表示することもできる。
【００２４】
ここで、第１画面領域１５から第２画面領域１６に移行する境界、第３画面領域１７から第４画面領域１８に移行する境界、第５画面領域１９から第６画面領域２０に移行する境界の３つの境界は、画面上縦に直線状に並ぶ。これらの境界を、画面操作により、直線的配列を維持させつつ、横方向にずらすようにしてもよい。
【００２５】
また、第２画面領域１６に表示される脳波波形のＤＳＡ（Density Spectral Array）表示又は前記脳波波形のＣＳＡ（Compressed Spectral Array）表示と、第４画面領域１８に表示される脈波波形の圧縮表示及び第６画面領域２０に表示される心拍数のトレンド表示とが同期して表示される。
【００２６】
本実施の形態のＣＳＡ表示は、脳波のスペクトルの周波数を縦軸にして周波数スペクトルを横軸にして表し、一定の時間間隔毎に、横方向に並べて表示する。周波数スペクトルはパワースペクトルでもよく、電圧スペクトルでもよい。
【００２７】
また、本実施の形態のＤＳＡ表示は、周波数を縦軸、時間を横軸にして、脳波の周波数スペクトルの強度によって明暗をつけて表示される。明暗のつけ方は、ドット（黒点）の多少により明暗をつける方法の他に、モノクロームのグラデーションやカラーのグラデーション等の色彩の変化により表示してもよい。
【００２８】
なお、以上説明した生体情報（脈波，心電図，脳波）の各表示領域の表示順序（上下）は、図２に示す表示順序でなくてもよく、任意の表示順序（上下）でよい。
【００２９】
次に、表示画面３に実際に各種生体情報が表示された一例を図３を参照して説明する。図３は、本実施の形態に係る生体情報表示装置の表示画面に各種生体情報が表示されたときの一表示例を示す図である。
【００３０】
図３に示すように、表示画面３には、図２における生体情報表示画面領域１２に相当する領域に心電図波形関連情報として、ＨＲ（心拍数），ＳＴ（心電波形Ｓ−Ｔ間隔）が表示されている（図２における心電図関連情報表示画面領域１４に相当）。また、脈波情報関連情報として、ＡＲＴ（動脈血圧），ＰＡＰ（肺動脈圧），ＣＶＰ（中心静脈圧）が表示されている（図２における脈波関連情報表示画面領域１３に相当）。さらに、他の生体情報として、ＩＣＰ（頭蓋内圧），ＣＯ2（二酸化炭素分圧）の各波形等が表示されている。
また、脳波関連情報として、ＥＥＧ１（１チャンネル目の脳波），ＥＥＧ２（２チャンネル目の脳波）波形等が表示されている（図２における脳波関連情報表示画面領域１１に相当）。
【００３１】
また、各生体情報波形の画面左側には現在の数値（例えば、ＨＲ（心拍数）は現在８０である）が表示されている。なお、画面右側の数値は各波形の縦軸スケールなどを示すものである。
【００３２】
そして、各波形の表示の略中央部分に示した仮想的な画面分割線（画面には表示されない）の右側は、右端（現時刻）から画面分割線に向かって時間を遡るように、リアルタイムに時間経過順に表示されている（図２における第１画面領域１５，第３画面領域１７，第５画面領域１９に相当）。
【００３３】
一方、画面分割線より左側は、時間スケールが圧縮された表示となっており、ＨＲ（心拍数）はトレンド表示されている（図２における第６画面領域２０に相当）。また、ＡＲＴ（動脈血圧），ＰＡＰ（肺動脈圧），ＣＶＰ（中心静脈圧）は圧縮表示されている（図２における第４画面領域１８に相当）。また、ＥＥＧ１（１チャンネル目の脳波），ＥＥＧ２（２チャンネル目の脳波）はＤＳＡ表示されている（図２における第２画面領域１６に相当）。
なお、図３においては、最上段の心電図波形のみは、画面分割線に関係なくリアルタイムに表示している。
【００３４】
また、表示画面３内には、複数のウィンドウを開いて、それぞれに各種の情報を表示することが可能である。
例えば図４は、図３の表示例において別のウィンドウを開き、そこに拡大されたＣＳＡ表示が表示された場合を示す図である。
【００３５】
図４において、表示画面３内の脳波関連情報のＤＳＡ表示された領域（図２における第２画面領域１６に相当）内でカーソルをクリックすることにより、別のウィンドウが開き、このウィンドウに、クリックされた付近の時刻におけるＥＥＧ１，ＥＥＧ２のデータのＣＳＡ表示が縦方向に拡大されて表示されている。なお、図４の表示例の場合は、ウィンドウ下部にはそれぞれのチャンネルの脳波波形も表示されている。
【００３６】
また、前記のウィンドウには、ＣＳＡ表示の代わりに、拡大されたＤＳＡ表示を表示させることもできる。または、拡大ＣＳＡ表示と拡大ＤＳＡ表示を双方表示してもよい。拡大ＣＳＡ表示と拡大ＤＳＡ表示は横方向に表示してもよい。
【００３７】
また、第２画面領域のＤＳＡ表示がカラーのグラデーション等の色彩の変化により表示されている場合、これを別ウィンドウによりＣＳＡ表示に拡大表示するときＤＳＡ表示の色彩に応じて拡大ＣＳＡ表示にも色彩を付与してもよい。
【００３８】
【発明の効果】
以上詳記したように、本発明によれば、請求項１に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで脈波波形を表示する第３画面領域と、当該第３画面領域の時間経過側横に、リアルタイムで表示されていた前記脈波波形を逐次、圧縮表示する第４画面領域と、を有する脈波関連情報表示画面領域とを設け、前記第１画面領域に表示される前記脳波波形と、前記第３画面領域に表示される前記脈波波形と、を同期して表示させ、前記第２画面領域に表示される前記脳波波形のＤＳＡ表示又は前記脳波波形のＣＳＡ表示と、前記第４画面領域に表示される前記脈波波形の圧縮表示と、を同期して表示させることで、脳波関連情報と脈波関連情報とを同一の時間軸で表示できるので、生体信号の変化の時間関係を一目で把握でき、患者の容態変化の原因をより的確に診断することに資することができる生体情報表示方法を提供することができる。
【００３９】
また、本発明によれば、請求項２に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで心電図波形を表示する第５画面領域と、当該第５画面領域の時間経過側横に、リアルタイムで表示されていた前記心電図波形から逐次求められる心電図波形関連情報をトレンド表示する第６画面領域と、を有する心電図関連情報表示画面領域とを設け、前記第１画面領域に表示される前記脳波波形と、前記第５画面領域に表示される前記心電図波形と、を同期して表示させ、前記第２画面領域に表示される前記脳波波形のＤＳＡ表示又は前記脳波波形のＣＳＡ表示と、前記第６画面領域に表示される前記心電図波形関連情報のトレンド表示とを同期して表示させることで、脳波関連情報と心電図関連情報とを同一の時間軸で表示できるので、生体信号の変化の時間関係を一目で把握でき、患者の容態変化の原因をより的確に診断することに資することができる生体情報表示方法を提供することができる。
【００４０】
さらに、本発明によれば、請求項３に記載したように、第２画面領域内でカーソルをクリックすることにより、クリックされた付近の脳波波形のＤＳＡ表示又は脳波波形のＣＳＡ表示を、第２画面領域が表示されたウィンドウとは別のウィンドウに拡大ＤＳＡ表示及び／又は拡大ＣＳＡ表示として表示させるので、より詳細に脳波波形を把握することができる生体情報表示方法を提供することができる。
【００４１】
本発明によれば、請求項４に記載したように、脳波を検出するための脳波電極と、脈波を検出するための脈波センサとを有し、前記脳波電極及び前記脈波センサにより検出された生体信号を脳波関連情報及び脈波関連情報として表示画面に表示させる生体情報表示装置であって、当該表示画面に生体情報を表示させるための脳波関連情報表示手段と脈波関連情報表示手段とを有し、前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、前記脈波関連情報表示手段は、前記脳波関連情報表示手段によって表示された領域の時間経過方向と同じくして、横向きにリアルタイムで脈波波形を表示する第３画面表示手段と、当該第３画面表示手段によって表示された領域の時間経過側横に、リアルタイムで表示されていた前記脈波波形を逐次、圧縮表示する第４画面表示手段と、を有し、前記第１画面表示手段によって表示される前記脳波波形と、前記第３画面表示手段によって表示される前記脈波波形と、が同期して表示され、前記第２画面表示手段によって表示される前記脳波波形のＤＳＡ表示又は前記脳波波形のＣＳＡ表示と、前記第４画面表示手段によって表示される前記圧縮表示と、が同期して表示されてなることで、生体信号の変化の時間関係を一目で把握でき、患者の容態変化の原因をより的確に診断することに資することができる生体情報表示装置を提供することができる。
【００４２】
また、本発明によれば、請求項５に記載したように、脳波を検出するための脳波電極と、脈波を検出するための脈波センサとを有し、前記脳波電極及び前記脈波センサにより検出された生体信号を脳波関連情報及び心電図関連情報として表示画面に表示させる生体情報表示装置であって、当該表示画面に生体情報を表示させるための脳波関連情報表示手段と心電図関連情報表示手段とを有し、前記脳波関連情報表示手段は、時間経過方向を横向きにして、リアルタイムで脳波波形を表示させる第１画面表示手段と、当該第１画面表示手段によって表示された領域の時間経過側の横に、リアルタイムで表示されていた前記脳波波形を逐次、ＤＳＡ表示又はＣＳＡ表示させる第２画面表示手段と、を有し、前記心電図関連情報表示手段は、前記脳波関連情報表示手段での時間経過方向と同じくして、横向きにリアルタイムで心電図波形を表示する第５画面表示手段と、当該第５画面表示手段によって表示された領域の時間経過側横に、リアルタイムで表示されていた前記心電図波形から逐次求められる心電図波形関連情報をトレンド表示する第６画面表示手段と、を有し、前記第１画面表示手段によって表示される前記脳波波形と、前記第５画面表示手段によって表示される前記心電図波形と、が同期して表示され、前記第２画面表示手段によって表示される前記脳波波形のＤＳＡ表示又は前記脳波波形のＣＳＡ表示と、前記第６画面表示手段によって表示される前記心電図波形関連情報のトレンド表示と、が同期して表示されてなることで、生体信号の変化の時間関係を一目で把握でき、患者の容態変化の原因をより的確に診断することに資することができる生体情報表示装置を提供することができる。
【００４３】
さらに、本発明によれば、請求項６に記載したように、第２画面表示手段によって表示される領域内でカーソルがクリックされることにより、クリックされた付近の脳波波形のＤＳＡ表示又は脳波波形のＣＳＡ表示を、第２画面領域が表示されたウィンドウとは別のウィンドウに拡大ＤＳＡ表示及び／又は拡大ＣＳＡ表示として表示する拡大画面表示手段を有するので、より詳細に脳波波形を把握することができる生体情報表示装置を提供することができる。
【００４４】
また、本発明によれば、請求項７に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、前記第１画面領域に表示される前記脳波波形と、前記第７画面領域に表示される前記他の生体情報波形と、を同期して表示させ、前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする。
また、請求項８に記載したように、表示画面に、時間経過方向を横向きにして、リアルタイムで脳波波形を表示する第１画面領域と、当該第１画面領域の時間経過側の横に、リアルタイムで表示されていた前記脳波波形を逐次、ＤＳＡ表示又はＣＳＡ表示する第２画面領域と、を有する脳波関連情報表示画面領域と、前記脳波関連情報表示画面領域での時間経過方向と同じくして、横向きにリアルタイムで他の生体情報波形を表示する第７画面領域と、当該第７画面領域の時間経過側横に、リアルタイムで表示されていた前記他の生体情報波形を逐次圧縮表示し又は前記他の生体情報波形に関連する情報を表示する第８画面領域と、を有する生体情報表示画面領域とを設け、前記第２画面領域に表示される前記脳波波形のＤＳＡ表示又は前記脳波波形のＣＳＡ表示と、前記第８画面領域に表示される前記他の生体情報波形の圧縮表示又は前記他の生体情報波形に関連する情報と、を同期して表示させることを特徴とする。
これにより、脳波関連情報と他の生体情報波形とを同一の時間軸で表示できるので、生体信号の変化の時間関係を一目で把握でき、患者の容態変化の原因をより的確に診断することに資することができる生体情報表示方法を提供することができる。
【図面の簡単な説明】
【図１】本実施の形態に係る生体情報表示装置の外観を示す図である。
【図２】本実施の形態に係る生体情報表示装置の表示画面の表示領域の区分を示す図である。
【図３】本実施の形態に係る生体情報表示装置の表示画面に各種生体情報が表示されたときの一表示例を示す図である。
【図４】図３の表示例において、別のウィンドウに拡大されたＣＳＡ表示が表示された場合を示す図である。
【符号の説明】
１  生体情報表示装置
２  ケーブル接続端子
３  表示画面
４  情報処理手段
１１  脳波関連情報表示画面領域
１２  生体情報表示画面領域
１３  脈波関連情報表示画面領域
１４  心電図関連情報表示画面領域
１５  第１画面領域
１６  第２画面領域
１７  第３画面領域
１８  第４画面領域
１９  第５画面領域
２０  第６画面領域
【図１】
0003887798.tif 000002
【図２】
0003887798.tif 000003
【図３】
0003887798.tif 000004
【図４】
0003887798.tif 000005